(57)【特許請求の範囲】
【請求項１】
上頂部または胴体上部に投入用開口部と、胴体の一面に開閉施錠可能な扉を有する回収箱を設け、該回収箱の内部に上記投入用開口部より投入される廃棄機密書類を受け入れる不透明な布又は軟質合成樹脂製の開閉施錠可能な回収袋を開口状態で位置させ、回収箱の扉を施錠した状態において上記回収袋内に廃棄された機密書類の情報が機密状態を保持したまま回収箱から取出されて紙資源として回収されるよう扉を解錠した回収箱から取出した上記回収袋の開口部を閉口して施錠した状態に保持することを特徴とする廃棄機密書類の回収装置。
【請求項２】
上記開閉施錠可能な回収袋は、その上部の開口部周辺に複数のリング穴を有し、該リング穴に鎖を通し、この鎖に施錠するようにした請求項１記載の廃棄機密書類の回収装置。
【請求項３】
上記開閉施錠可能な回収袋は、その上部の開口部の周辺部に紐通し用の輪を形成して紐を通し、この紐を引張り結んで閉口し、結び目に施錠するようにした請求項１記載の廃棄機密書類の回収装置。
【請求項４】
上記回収箱内の胴体側内周面上部にフックを設け、該フックに上記回収袋のリング穴によって回収袋を開口状態に懸吊するようにした請求項２記載の廃棄機密書類の回収装置。
【請求項５】
上記回収箱の投入用開口部の周辺の内側の四隅に回収袋を装着するための懸吊用フックを設け、該懸吊用フックの高さに応じた懸吊用ロープ、リングまたは吊紐を上記回収袋の外周に設けた請求項１〜３のいずれかに記載の廃棄機密書類の回収装置。
【請求項６】
上頂部または胴体上部に投入用開口部と胴体の一面に開閉施錠可能な扉を有する回収箱の内部に回収袋を開口状態で位置させ、上記回収箱の扉に施錠し、上記投入用開口部より投入される廃棄機密書類を回収袋に受入れ、上記回収箱の扉を解錠して回収箱から回収袋を取出し、上記回収袋の開口部を閉口して施錠し、該回収袋内に廃棄された機密書類の情報を機密状態を保持したまま紙処理業者に回収袋を引渡し、上記回収袋の開口部を解錠して回収した機密書類を古紙として利用する廃棄機密書類の回収方法。
【発明の詳細な説明】
【０００１】
【発明の属する技術分野】
この発明は、利用済の機密書類に係る古紙のリサイクルを目的とした回収用の施錠袋と、その回収箱との組み合わせに係る技術に関するものである。
【０００２】
【従来の技術】
従来の利用済の機密書類はシュレッダ−により断裁されて回収されていたので、該断裁に係る古紙をリサイクルするときには、紙の素材の繊維が微細に断裁されており、再生紙に生成するには限度があり、現状では折角回収しても紙資源として有効に利用できなかった。
【０００３】
【発明が解決しようとする課題】
この発明は、利用済の機密書類に係る古紙をリサイクルするに当たり、シュレッダ−により断裁することなく、しかも、これらの古紙からの機密情報を第三者に漏洩することなく、完全に秘密裡に再生紙としてリサイクルできることを可能にするのがこの発明が解決しようとする課題である。
【０００４】
【発明が解決するための手段】
この発明は、利用済の機密書類を専用に回収し、機密情報を漏洩することなくリサイクルすることができることを目的とし、回収用施錠袋と該袋の回収用収納箱の組合わせにより、機密情報が秘密性を保持したまゝ回収できることが、この発明が解決するための手段である。
【０００５】
回収袋の上開口部を開閉自在とし、開口部周辺に適宜複数のリング穴を設け、該リング穴を、回収箱内の胴体側内周面上部に設けたフックに懸吊して開口状態の袋を、該回収箱内に装着できる手段を施してある。また、場合によっては、該リング穴を連ねる鎖を通し、閉口時に施錠ができ、或は、場合により、該回収袋の開口周辺部に開閉自在のファスナ−を縫着し、更には、下底部周辺に開閉自在のファスナ−を縫着し、底部閉口時にファスナ−止具の把手を袋本体に嵌合して施錠ができる回収袋となる手段を施してある。
【０００６】
回収袋の上開口周辺部を紐通し用の輪に縫い、通した紐を引張って結わえて閉口し、結び目に施錠できる回収袋となる手段を施してある。
【０００７】
回収箱内に回収袋を装着するため、回収箱開口周辺内側の四隅に懸吊用フックを設け、該懸吊用フックの高さに応じた懸吊用ロ−プ、リングまたは紐を回収袋の外周にもうける手段を施してある。
【０００８】
該施錠袋を収納・回収する回収箱は立体状の箱型であり、上頂板部に設けられた開口部があり、場合により該開口部には、開口部の面積より大きい案内片を施し、更に、場合によっては、該案内片には水平位置復元バネを装着する手段を施してある構造の回収箱にすることができる。
【０００９】
或は該施錠袋を収納・回収する回収箱は、上頂板が前後又は左右の中間部で２分され、各２分された上頂板は、その分割線に平行する両枠辺部を各々の回転軸とし、該２分された上頂板の各短辺両端の下面部において、復元バネの一方の足が固設され、他方の足が直交する側面板に支持固設されているので、該２分上頂板は下方向への押下力によってのみ下降させることにより開口可能とし、押下力を解放すると、該バネの復元力で水平の位置に戻り、閉口状態となる構造とし、該箱の胴体部に相当する前後左右の一面部を開閉可能の施錠扉とした構造の回収箱にできる。
【００１０】
該回収箱において、上頂板の下方向への開口方向と直交する方向の上頂の両枠部に停止板を設け、下方へ開口した上頂板の復元時に、該上頂板が上頂面より上方向に上がらない構造とした回収箱とすることもできる。
【００１１】
該回収箱の底下部の四隅にキャスターを設け（後記の図１参照）、場合によってはキャスターを装着した独立の底板を設けている（後記の図２参照）。
【００１２】
【発明の実施の形態】
この発明の実施の形態を図面を参照して説明する。
回収箱（１）  の開口部（２）  を上頂部に設けたものが図１（ａ）  に示され、胴体上部に設けたものが図２に示されている。該箱の中に着脱自在に装着される回収前の回収袋（３）  が図１（ｂ）  に示され、回収後の閉口された回収袋（３）  が図５に示されている。該回収袋（３）  は回収箱（１）  内に開口状態で懸吊され、利用済機密書類に係る紙類が廃棄投入される。回収時には該袋の開口部が閉口されて施錠され、図５に示す状態で回収され、回収業者から紙処理業者へと引渡されるので、廃棄に係る機密書類は一般人の目に触れることなく回収される。
【００１３】
上記回収袋は、その材質が不透明な布または軟質合成樹脂の袋であるから、該袋の中身が移送中に見えることもない。
【００１４】
図１（ｂ）  に示す回収袋ではその上開口部周辺にリング穴（４）  を適宜複数設けている。また場合により、該リング穴（４）  に鎖を通し、施錠し易くする。
【００１５】
図８に示すものでは、回収袋の上開口周辺部を紐通し用の輪（１３）に縫い、通した紐（１４）を引張って結わえて閉口し、結び目に施錠できることとしている。
【００１６】
図４に示す回収袋は、その上開口部周辺または下底周辺部のいずれか一方または双方に開閉自在のファスナ−（５）（６）を縫着し、閉口時には、該ファスナ−止具の先端の把手部（図示略）が該回収袋本体に嵌合されて施錠することができる。
【００１７】
他の回収袋が図６に示され、その上開口部の一対の対向辺(17)(17’)を直硬部材とし、その中間で下方向に折合わせ可能とし、他の対向辺(18)(18’)の直硬辺を閉じ合わせ、または嵌合し、施錠可能にしてある。
【００１８】
また、回収箱内に回収袋を装着するため、回収箱開口周辺内側の四隅に懸吊用フックを設け、該懸吊用フックの高さに応じた懸吊用ロ−プ（１５）を設けたり（図８）、或はリング（１６）を設けたりする（図７）。
【００１９】
上記した回収袋が装着される回収箱には開閉自在施錠扉（７）  が設けられている（図１（ａ）  、図２、図３）。
【００２０】
上記回収箱（１）  の上部開口部（２）  の裏面には図１（ａ）  に示すように、該開口部面積より大きい案内片（８）  を設けることができ、場合により該案内片（８）  の水平位置復元バネを装着する。
【００２１】
また、回収箱の上頂板が前後または左右の中間部で２分されたものがあり、図３に示すものでは前後に２分した状態の上頂板（９）（９’）  とし、その２分割線に平行する両上枠辺部を回転の軸とし、該各２分された上頂板（９）（９’）  の各短辺両端の下面部において、バネの一方の足が固設し、他方の足が直交する側板に支持固設されているから、該２分上頂板は下方向への押下力によってのみ下降することにより開口状態となり、押下力を解放するとバネの復元力により上頂板（９）（９’）  は水平の位置に戻り、閉口状態となる。
【００２２】
図３に示すものでは、回収箱の上頂板（９）（９’）  の下方向への開口線と直交方向の上頂の両枠部の上に、停止板（１０）（１０’）  を設け、下方向に開口した上頂板（９）（９’）  の復元時に該上頂板（９）（９’）が上頂面より上方向に上がらない構造としている。
【００２３】
図１に示す回収箱（１）  は、その底下部の四隅にキャスタ−（１２）を設けている。
【００２４】
また、図２に示すものでは、上記回収箱（１）  の下に、独立した底板（１１）があり、その下部の四隅にキャスタ−（１２）を設けている。
【００２５】
上記回収箱（１）  とその内に装着する回収袋（３）  とを組合わせると回収装置となる。
【００２６】
オフィスの就業時間中に利用済機密書類が、回収箱（１）  の開口部（２）  から、回収袋（３）  へ投入される。一定時間の経過後、回収業者が回収箱（１）  の扉（７）  を解錠して回収袋（３）  を取出し、リング穴（４）  を束ねる要領で閉口し・施錠し、図５に示す状態で回収する。場合によっては、該リング穴（４）  に鎖が通されているので、束ねられた鎖に施錠する。回収後は、代わりの未使用回収袋（３）  を回収箱（１）  内に開口状態に懸吊・装着し、扉（７）  を閉じて施錠する。回収業者が施錠・回収した回収袋（３）  は、その後、処理業者へ引渡され古紙としてリサイクルされる。
【００２７】
【発明の効果】
この発明は、以上説明したように構成されているので、以下に記載されるような効果を奏する。
【００２８】
シュレッダ−で断裁することなく、利用済機密書類を回収できるので、リサイクルに当たり素材のパルプ繊維を破壊せずにそのまゝ回収でき、紙資源としての再利用が可能となった。
【００２９】
回収される機密書類は、回収用施錠袋に投入され、回収時には施錠されるので、回収に係るオフィス外で該機密書類の情報が開示・漏洩されることがない。
【００３０】
利用済の機密書類は特定の回収業者と一定の契約をしている企業であるから、施錠袋及び回収箱の錠は特定鍵のみが使用される。また、該施錠袋の底部周辺の閉口施錠のある場合の鍵も、回収業者のみが所有し、回収した機密書類を該袋から取出す時にのみ使用するから、該回収袋によって回収された利用済の機密書類は機密が完全に保持され得る。
【図面の簡単な説明】
【図１】本発明の実施例を示し（ａ）  は回収箱、（ｂ）  は使用前の回収袋の各斜視図である。
【図２】他の回収箱の斜視図である。
【図３】更に他の回収箱の斜視図である。
【図４】他の回収袋の斜視図である。
【図５】閉口・施錠後の回収袋の斜視図である。
【図６】他例の回収袋の斜視図である。
【図７】更に他例の回収袋の斜視図である。
【図８】更に他の例の回収袋の斜視図である。
【符号の説明】
１……回収箱
２……開口部
３……回収袋
４……リング穴
５……開口部周辺ファスナ−
６……底部周辺ファスナ−
７……施錠扉
８……案内片
９、９’……上頂板
１０、１０’……停止板
１１……底板
１２……キャスタ−
１３……紐通し用縫い輪
１４……通し紐
１５、１５’……懸吊用ロ−プ
１６……懸吊用リング
１７、１７’……折合わせ直硬部材
１８、１８’……長辺直硬部材
【図１】
0003617020.tif 000002
【図２】
0003617020.tif 000003
【図３】
0003617020.tif 000004
【図４】
0003617020.tif 000005
【図５】
0003617020.tif 000006
【図６】
0003617020.tif 000007
【図７】
0003617020.tif 000008
【図８】
0003617020.tif 000009